(57)【要約】      （修正有）【課題】部品の老化速度を緩め、且つ製造費用が低廉な光源駆動装置を提供する。【解決手段】複数のランプを備える光源モジュールを駆動する光源駆動装置は、ＰＦＣ回路と、直流／交流変換回路と、変圧回路と、共振平衡回路と、ＰＷＭ及び調光制御器と、調節可能な分圧回路と、ＰＦＣ制御器と、を備える。光源モジュールを駆動する光源駆動装置は、受信した電源信号を直流信号に変換するＰＦＣ回路と、前記ＰＦＣ回路の出力端に接続され、前記ＰＦＣ回路からの直流信号を交流信号に変換する直流／交流変換回路と、前記直流／交流変換回路に接続され、前記直流／交流変換回路からの交流信号を隔離するとともに昇圧し、且つ出力が調節される調節可能な変圧回路と、前記調節可能な変圧回路に接続される。【選択図】図２
2009259833.tif 000002
【特許請求の範囲】
【請求項１】
複数のランプを備える光源モジュールを駆動する光源駆動装置であって、
受信した電源信号を直流信号に変換するＰＦＣ回路と、
前記ＰＦＣ回路の出力端に接続され、前記ＰＦＣ回路からの直流信号を交流信号に変換する直流／交流変換回路と、
前記直流／交流変換回路に接続され、前記直流／交流変換回路からの交流信号を隔離するとともに昇圧する変圧回路と、
前記変圧回路に接続され、前記変圧回路からの交流信号を前記光源モジュールを駆動することができる交流信号に変換する共振平衡回路と、
前記直流／交流変換回路に接続され、受信した調光信号に基づいて、デューティ・サイクルが固定値である制御信号を出力して、前記直流／交流変換回路の出力を制御するＰＷＭ及び調光制御器と、
前記ＰＦＣ回路の出力端と接地との間に接続され、前記ＰＦＣ回路が出力した直流信号を調節可能に分圧する調節可能な分圧回路と、
調節可能な分圧回路によって分圧された信号を前記ＰＦＣ回路に帰還して、前記ＰＦＣ回路からの直流信号を定数値になるように調節するＰＦＣ制御器と、
を備えることを特徴とする光源駆動装置。
【請求項２】
前記調節可能な分圧回路は、
前記ＰＦＣ回路の出力端と前記ＰＦＣ制御器との間に接続され、前記ＰＦＣ回路からの帰還電圧を分圧する第一抵抗と、
前記第一抵抗と接地との間に接続され、前記調節可能な分圧回路の分圧比を調節する第二抵抗と、
を備え、
前記第一抵抗及び前記第二抵抗の中で少なくとも一方が調節可能な抵抗であることを特徴とする請求項１に記載の光源駆動装置。
【請求項３】
前記変圧回路は、前記直流／交流変換回路に接続される１次巻線及び前記共振平衡回路に接続される少なくとも１つの２次巻線を含む隔離変圧器を備えることを特徴とする請求項１に記載の光源駆動装置。
【請求項４】
受信した帰還信号を前記ＰＦＣ制御器に提供する帰還回路と、
前記帰還回路と前記ＰＦＣ制御器との間に接続され、前記帰還回路と前記交流電源とを隔離する帰還隔離器と、
をさらに備えることを特徴とする請求項１に記載の光源駆動装置。
【請求項５】
前記帰還隔離器と接地との間に接続され、前記帰還信号を電圧帰還信号に変換する第三抵抗と、
前記第三抵抗及び前記帰還隔離器の共同接合点と前記調節可能な分圧回路との間に接続され、前記第三抵抗からの電圧帰還信号を調節する第四抵抗と、
をさらに備えることを特徴とする請求項４に記載の光源駆動装置。
【請求項６】
前記直流／交流変換回路に接続され、前記直流／交流変換回路を流れる電気信号を検出する検出回路と、
前記検出回路に接続される入力端と出力端とを備え、前記電気信号を増幅する増幅器と、
両端が別々に前記増幅器の出力端及び前記ＰＦＣ制御器に接続され、増幅された前記電気信号を調節する第五抵抗と、
をさらに備えることを特徴とする請求項１に記載の光源駆動装置。
【請求項７】
前記制御信号は、前記ＰＷＭ及び調光制御器からの高周波のＰＷＭ制御信号であることを特徴とする請求項１に記載の光源駆動装置。
【請求項８】
複数のランプを備える光源モジュールを駆動する光源駆動装置であって、
受信した電源信号を直流信号に変換するＰＦＣ回路と、
前記ＰＦＣ回路の出力端に接続され、前記ＰＦＣ回路からの直流信号を交流信号に変換する直流／交流変換回路と、
前記直流／交流変換回路に接続され、前記直流／交流変換回路からの交流信号を隔離するとともに昇圧し、且つ出力が調節される調節可能な変圧回路と、
前記調節可能な変圧回路に接続され、前記調節可能な変圧回路からの交流信号を前記光源モジュールを駆動することができる交流信号に変換する共振平衡回路と、
前記直流／交流変換回路に接続され、受信した調光信号に基づいて、デューティ・サイクルが固定値である制御信号を出力して、前記直流／交流変換回路の出力を制御するＰＷＭ及び調光制御器と、
を備えることを特徴とする光源駆動装置。
【請求項９】
前記調節可能な変圧回路が、前記直流／交流変換回路に接続されて受信した交流信号を隔離するとともに昇圧する複数の１次巻線と複数の２次巻線とを含む調節可能な隔離変圧器をさらに備え、前記複数の１次巻線或いは２次巻線は、出力する交流信号を安定するために、ランプからの帰還電流に基づいて相応的に接続を調節することを特徴とする請求項８に記載の光源駆動装置。
【請求項１０】
前記調節可能な変圧回路が、
前記直流／交流変換回路に接続されて受信した交流信号を隔離する複数の１次巻線と複数の２次巻線とを備え、且つ前記複数の１次巻線或いは２次巻線は、出力する交流信号を安定するために、ランプからの帰還電流に基づいて相応的に接続を調節する調節可能な隔離変圧器と、
前記調節可能な隔離変圧器の２次巻線に接続される１次巻線及び前記共振平衡回路に接続されて隔離された交流信号を昇圧する２次巻線を備える変圧器と、
を備えることを特徴とする請求項８に記載の光源駆動装置。
【請求項１１】
前記制御信号は、前記ＰＷＭ及び調光制御器からの高周波のＰＷＭ制御信号であることを特徴とする請求項８に記載の光源駆動装置。
【発明の詳細な説明】
【技術分野】
【０００１】
本発明は、光源駆動装置に関し、特に交流／直流変換回路を整合する光源駆動装置に関する。
【背景技術】
【０００２】
通常、冷陰極蛍光管（Cold Cathode Fluorescent Lamp、ＣＣＦＬ）或いは外部電極蛍光ランプ(External Electrode Fluorescent Lamp、ＥＥＦＬ)を液晶表示装置（ＬＣＤ）、プラズマ表示装置などの平面表示装置のバックライトモジュールの光源として採用する。バックライトモジュールにおいて、一般的にランプの帰還電流によってＰＷＭ（Pulse-Width Modulator、パルス幅変調）制御器の出力のデューティ・サイクル（Duty Cycle）を調節することにより、ランプで流れる電流を調節する。
【０００３】
図１は、従来の技術に係る光源駆動装置のブロック図である。前記光源駆動装置は、光源モジュール１４を駆動することに用いられ、交流電源１０と、交流／直流変換器１１と、インバーター（Inverter）回路１２と、ＰＷＭ及び調光制御器１３と、ＰＷＭ及び調光隔離器（PWM dimming isolator）１３１と、ＰＷＭ及び調光駆動回路１３２と、を含む。前記交流／直流変換器１１は、ＰＦＣ（Power Factor Correction）回路１１０と、直流／交流変換回路１１１と、隔離整流（Isolator Rectify）回路１１２と、を含む。
【０００４】
前記交流電源１０から出力する交流信号は、前記ＰＦＣ回路１１０によって昇圧されると共に直流信号に変換されて、前記直流／交流変換回路１１１に出力される。前記直流／交流変換回路１１１は、前記直流信号を方形波の信号に変換してから前記隔離整流回路１１２に提供する。前記隔離整流回路１１２は、前記方形波の信号を隔離且つ昇圧した後、再度直流信号に整流して前記インバーター回路１２に提供する。前記インバーター回路１２は、受信した前記直流信号を正弦波に変換してから前記光源モジュール１４に提供する。
【０００５】
従来の光源モジュール装置において、前記ＰＷＭ及び調光制御器１３から出力される制御信号の周期を改変することによって、直流／交流変換回路１１１の出力を制御し、且つランプへ出力される電流を調節する。しかし、上述した制御方式において、前記直流／交流変換回路１１１が長時間に頻繁な転換作業状態に処しているので、部品の温度が高くなり、部品の老化が加速され、部品の使用寿命が短くなる。また、上述した装置において、ランプ電流の帰還回路を設置することを必要として、回路空間を占めるばかりでなく、製造費用も高くなる。
【発明の開示】
【発明が解決しようとする課題】
【０００６】
本発明の目的は、部品の老化速度を緩め、且つ製造費用が低廉な光源駆動装置を提供することである。
【課題を解決するための手段】
【０００７】
本発明に係る複数のランプを備える光源モジュールを駆動する光源駆動装置は、受信した電源信号を直流信号に変換するＰＦＣ（Power Factor Correction）回路と、前記ＰＦＣ回路の出力端に接続され、前記ＰＦＣ回路からの直流信号を交流信号に変換する直流／交流変換回路と、前記直流／交流変換回路に接続され、前記直流／交流変換回路からの交流信号を隔離するとともに昇圧する変圧回路と、前記変圧回路に接続され、前記変圧回路からの交流信号を前記光源モジュールを駆動することができる交流信号に変換する共振平衡回路と、前記直流／交流変換回路に接続され、受信した調光信号に基づいて、デューティ・サイクルが固定値である制御信号を出力して、前記直流／交流変換回路の出力を制御するＰＷＭ及び調光制御器と、前記ＰＦＣ回路の出力端と地との間に接続され、前記ＰＦＣ回路が出力した直流信号を調節可能に分圧する調節可能な分圧回路と、調節可能な分圧回路によって分圧された信号を前記ＰＦＣ回路に帰還して、前記ＰＦＣ回路からの直流信号を定数値になるように調節するＰＦＣ制御器と、を備える。
【０００８】
本発明に係る複数のランプを備える光源モジュールを駆動する光源駆動装置は、受信した電源信号を直流信号に変換するＰＦＣ回路と、前記ＰＦＣ回路の出力端に接続され、前記ＰＦＣ回路からの直流信号を交流信号に変換する直流／交流変換回路と、前記直流／交流変換回路に接続され、前記直流／交流変換回路からの交流信号を隔離するとともに昇圧し、且つ出力が調節される調節可能な変圧回路と、前記調節可能な変圧回路に接続され、前記調節可能な変圧回路からの交流信号を前記光源モジュールを駆動することができる交流信号に変換する共振平衡回路と、前記直流／交流変換回路に接続され、受信した調光信号に基づいて、デューティ・サイクルが固定値である制御信号を出力して、前記直流／交流変換回路の出力を制御するＰＷＭ及び調光制御器と、を備える。
【発明の効果】
【０００９】
本発明に係る光源駆動装置において、ＰＭＷ及び調光制御器が出力する制御信号のデューティ・サイクルが固定値に設定されることによって、直流／交流変換回路の老化速度を緩め、光源駆動装置における工場出荷時の部品の偏差を補償することができ、ランプを流れる電流を最も安定させ、ランプの寿命を延長する。
【図面の簡単な説明】
【００１０】
【図１】従来の技術に係る光源駆動装置のブロック図である。
【図２】本発明の第一実施例に係る光源駆動装置のブロック図である。
【図３】本発明の第二実施例に係る光源駆動装置のブロック図である。
【図４】本発明の第三実施例に係る光源駆動装置のブロック図である。
【図５】本発明の第四実施例に係る光源駆動装置のブロック図である。
【図６】本発明の第五実施例に係る光源駆動装置のブロック図である。
【発明を実施するための形態】
【００１１】
以下、図面に基づいて、本発明に係る光源駆動装置に関して詳細に説明する。
【００１２】
図２は、本発明の第一実施例に係る光源駆動装置のブロック図である。前記光源駆動装置は、光源モジュール４１４を駆動することに用いられ、交流電源４００と、電磁波干渉(ＥＭＩ)濾過回路４０１と、ＰＦＣ回路４０２と、ＰＦＣ制御器４０３と、調節可能な分圧回路４０４と、直流／交流変換回路４０５と、変圧回路４０６と、共振平衡回路４０７と、ＰＷＭ及び調光制御器４０８と、ＰＷＭ及び調光隔離器４０９と、ＰＷＭ及び調光駆動回路４１０と、を備える。本実施例において、前記光源モジュール４１４は、複数のランプを含む。
【００１３】
前記交流電源４００は、交流信号を提供する。前記交流信号は、前記電磁波干渉濾過回路４０１によって濾過されてから前記ＰＦＣ回路４０２に伝送される。前記電磁波干渉濾過回路４０１は、前記交流電源４００とＰＦＣ回路４０２との間に接続され、前記交流電源４００からの交流信号中の電磁波干渉信号を除去する。前記ＰＦＣ回路４０２は、昇圧回路であって、前記交流信号を直流信号に変換するとともに昇圧する。本実施例において、昇圧された直流信号の電圧は、略４００Ｖ（ボルト）である。
【００１４】
前記ＰＦＣ制御器４０３は、前記ＰＦＣ回路４０２の出力端に接続され、前記ＰＦＣ回路４０２からの出力信号を前記ＰＦＣ回路４０２に帰還して、前記ＰＦＣ回路４０２からの直流信号を調節して定数値になるようにする。
【００１５】
前記調節可能な分圧回路４０４は、前記ＰＦＣ回路４０２の出力端と接地との間に接続され、前記ＰＦＣ回路４０２からの直流信号を調節可能に分圧を実施して、前記ＰＦＣ制御器４０３に入力される電圧を調節する。本実施例において、調節可能な分圧回路４０４の分圧比が調節されることができる。即ち、前記調節可能な分圧回路４０４によって分割される電圧が調節されることができ、従って前記ＰＦＣ制御器４０３に入力される電圧が調節される。前記調節可能な分圧回路４０４によって光源駆動装置における工場出荷時の部品の偏差を補償し、前記光源モジュール４１４に提供する電流を最も安定させて、ランプの寿命を延長する。
【００１６】
前記調節可能な分圧回路４０４は、少なくとも一方が調節可能な抵抗である第一抵抗Ｒ１及び第二抵抗Ｒ２を備える。本実施例において、前記第一抵抗Ｒ１は、前記ＰＦＣ回路４０２の出力端と前記ＰＦＣ制御器４０３との間に接続され、前記ＰＦＣ回路４０２からの帰還電圧に対して分圧を実施する。前記第二抵抗Ｒ２は、調節可能な抵抗であって、前記第一抵抗Ｒ１と接地との間に接続され、前記調節可能な分圧回路４０４の分圧比を調節する。
【００１７】
前記直流／交流変換回路４０５は、前記ＰＦＣ回路４０２の出力端に接続され、前記ＰＦＣ回路４０２からの前記直流信号を交流信号に変換する。本実施例において、前記直流／交流変換回路４０５からの交流信号は方形波信号である。前記直流／交流変換回路４０５は、フル・ブリッジ（Full Bridge）型、ハーフ・ブリッジ（Half Bridge）型、プッシュ・プル（Push-Pull）型或いはロイヤー（Royer）型であることができる。
【００１８】
前記変圧回路４０６は、前記直流／交流変換回路４０５に接続され、受信した交流信号を隔離するとともに昇圧する。本実施例において、前記変圧回路４０６は、隔離変圧器Ｔ１を含む。前記隔離変圧器Ｔ１は、前記直流／交流変換回路４０５に接続される１次巻線及び前記共振平衡回路４０７に接続される２次巻線を備える。また、本発明の隔離変圧器Ｔ１において、複数の２次巻線を備えることができる。安全規則に基づいて、前記光源モジュール４１４及び前記光源モジュール４１４を駆動する前記共振平衡回路４０７を安全状態で作動させるために、隔離変圧器Ｔ１で前記の交流電源４００と、前記光源モジュール４１４及び前記共振平衡回路４０７とを隔離する必要がある。本実施例において、隔離変圧器Ｔ１は、昇圧機能も有する。
【００１９】
前記共振平衡回路４０７は、前記変圧回路４０６に接続され、前記変圧回路４０６からの交流信号を前記光源モジュール４１４を駆動することができる交流信号に変換する。前記共振平衡回路４０７によって変換された交流信号は、平衡的に複数のランプを流れる。本実施例において、前記共振平衡回路４０７からの交流信号は、正弦波である。製品の製造過程において、各変圧器の漏れインダクタンス（Leakage Inductance）が異なるので、実際回路において、設置された変圧器の漏れインダクタンスによって共振平衡を進行する。前記共振平衡は、コンデンサー(Condenser)を添加して平衡を進行するか、誘電子（Inductor）または変圧器を用いて平衡を進行するか、コンデンサー、誘電子及び変圧器を結合して平衡を進行することができる。
【００２０】
前記ＰＷＭ及び調光制御器４０８は、前記直流／交流変換回路４０５に接続され、受信した調光信号に基づいて制御信号を出力して、前記直流／交流変換回路４０５の出力を制御する。前記調光信号のデューティ・サイクルは、固定値である。本実施例において、前記制御信号は、前記ＰＷＭ及び調光制御器４０８によって出力される高周波のＰＷＭ制御信号である。一般的に、制御信号のデューティ・サイクルは、チップ（Chip）が許可することができる最大値である。制御信号のデューティ・サイクルは、ＰＷＭ及び調光制御器４０８の相応するピンズ（Pins）の抵抗を調整するか又はコンデンサーの配合によって設定される。本実施例において、前記ＰＷＭ及び調光制御器４０８は、前記光源モジュール４１４の電流帰還信号を受信しないので、前記ＰＷＭ及び調光制御器４０８からの制御信号のデューティ・サイクルが随時に変らない。
【００２１】
また、前記ＰＷＭ及び調光制御器４０８は、ＰＷＭ及び調光隔離器４０９及びＰＷＭ及び調光駆動回路４１０を介して前記直流／交流変換回路４０５に接続される。前記ＰＷＭ及び調光隔離器４０９は、前記ＰＷＭ及び調光制御器４０８に接続され、前記ＰＷＭ及び調光制御器４０８と前記交流電源４００との危険電圧を隔離する。前記ＰＷＭ及び調光隔離器４０９として、隔離変圧器或いは光合波器(Optical Coupler)を採用する。前記ＰＷＭ及び調光駆動回路４１０は、前記直流／交流変換回路４０５と前記ＰＷＭ及び調光隔離器４０９との間に接続され、前記ＰＷＭ及び調光制御器４０８からの制御信号を前記直流／交流変換回路４０５の作動を推進することができる制御信号に昇格する。
【００２２】
本実施例において、光源駆動装置が開回路であるので、従来の光源駆動装置における帰還回路を省略することができる。従って、回路の構造が簡単化され、コストが低下される。
【００２３】
図３は、本発明の第二実施例に係る光源駆動装置のブロック図である。図２に示す光源駆動装置に比べて、本実施例の光源駆動装置は、帰還回路４１１と、帰還隔離器４１２と、第三抵抗Ｒ３と、第四抵抗Ｒ４と、をさらに備える。
【００２４】
前記帰還回路４１１は、前記帰還隔離器４１２及び第三抵抗Ｒ３を介して前記調節可能な分圧回路４０４に接続され、帰還信号を受信する。前記帰還信号は、光源モジュール４１４を流れる電気信号である。前記帰還回路４１１は、前記帰還信号を前記ＰＦＣ制御器４０３に提供する。前記調節可能な分圧回路４０４の分圧比は、前記帰還信号に基づいて調節され、前記ＰＦＣ制御器４０３の入力電圧も調節される。これによって、前記ＰＦＣ回路４０２の出力電圧が調節される。
【００２５】
前記帰還隔離器４１２は、前記帰還回路４１１と交流電源との危険電圧を隔離する。前記帰還隔離器４１２として、隔離変圧器或いは光合波器を採用する。
【００２６】
前記第三抵抗Ｒ３は、前記帰還回路４１２と接地との間に接続され、帰還信号を電圧帰還信号に変換する。これは電圧信号が電気回路で安定的に伝送されるので、前記帰還隔離器４１２の近傍に前記第三抵抗Ｒ３を設置して帰還信号を電圧信号に変換する。
【００２７】
前記第四抵抗Ｒ４は、前記第三抵抗Ｒ３及び帰還隔離器４１２の共同接合点（Common Junction）と調節可能な分圧回路４０４との間に接続され、前記第三抵抗Ｒ３の電圧帰還信号の出力を調節する。
【００２８】
本実施例において、光源駆動装置は閉回路である。工場から出荷する前に外部計器で測定したランプの電流に一定の差異が存在し、且つ外部環境要素によって工場から出荷した製品に偏差が存在する。こんなの差異及び偏差を補償するために、帰還回路４１１によって帰還信号を受信し、前記帰還信号で前記ＰＦＣ制御器４０３の出力を調節して、光源モジュール４１４を流れる電流をさらに調節して、前記光源駆動装置の初期部品に存在する差異及び偏差を最も精確に補償することができる。
【００２９】
図４は、本発明の第三実施例に係る光源駆動装置のブロック図である。図２に示す光源駆動装置に比べて、本実施例の光源駆動装置は、検出回路４１３と、増幅器Ａ１と、第五抵抗Ｒ５と、をさらに備える。
【００３０】
前記検出回路４１３は、前記直流／交流変換回路４０５に接続され、前記直流／交流変換回路４０５を流れる電気信号を検出する。
【００３１】
前記増幅器Ａ１は、前記検出回路４１３に接続される入力端及び前記第五抵抗Ｒ５の一端に接続される出力端を備える。前記増幅器Ａ１は、電気信号を増幅させる。
【００３２】
前記第五抵抗Ｒ５の他端は、前記ＰＦＣ制御器と前記第一抵抗Ｒ１との共同接合点に接続され、前記増幅器Ａ１によって増幅された電気信号を調節する。
【００３３】
上述したように、調節可能な分圧回路４０４は、電気信号に基づいて自身の抵抗を調節する。従って、前記ＰＦＣ回路４０２の出力電圧を調節して、光源モジュール４１４を流れる電流を調節する。
【００３４】
本実施例において、光源駆動装置は閉回路である。工場から出荷する前に外部計器で測定したランプの電流に一定の差異が存在し、且つ外部環境要素によって工場から出荷した製品に偏差が存在する。この差異及び偏差を補償するために、検出回路４１３によって電気信号を受信し、前記電気信号は、ＰＦＣ制御器４０３の出力を自動調節して、光源モジュール４１４を流れる電流をさらに調節する。従って、光源駆動装置に存在する偏差を最も精確に補償することができる。
【００３５】
図５は、本発明の第四実施例に係る光源駆動装置のブロック図である。前記光源駆動装置は、光源モジュール５１４を駆動することに用いられ、交流電源５００と、電磁波干渉濾過回路５０１と、ＰＦＣ回路５０２と、ＰＦＣ制御器５０３と、直流／交流変換回路５０５と、調節可能な変圧回路５０６と、共振平衡回路５０７と、ＰＷＭ及び調光制御器５０８と、ＰＷＭ及び調光隔離器５０９と、ＰＷＭ及び調光駆動回路５１０と、を備える。本実施例において、前記光源モジュール５１４は、複数のランプを含む。
【００３６】
前記交流電源５００は、交流信号を提供する。前記交流信号は、前記電磁波干渉濾過回路５０１によって濾過されてから前記ＰＦＣ回路５０２へ伝送される。
【００３７】
前記電磁波干渉濾過回路５０１は、前記交流電源５００とＰＦＣ回路５０２との間に接続され、前記交流電源５００からの交流信号中の電磁波干渉信号を除去する。
【００３８】
前記ＰＦＣ回路５０２は、昇圧回路であって、前記交流信号を直流信号に変換するとともに昇圧する。本実施例において、昇圧された直流信号の電圧は、略４００Ｖ（ボルト）である。
【００３９】
前記ＰＦＣ制御器５０３は、前記ＰＦＣ回路５０２の出力端に接続され、前記ＰＦＣ回路５０２からの出力信号を前記ＰＦＣ回路５０２に帰還して、前記ＰＦＣ回路５０２の直流出力を安定させる。
【００４０】
前記直流／交流変換回路５０５は、前記ＰＦＣ回路５０２の出力端に接続され、前記ＰＦＣ回路５０２からの前記直流信号を交流信号に変換する。本実施例において、前記直流／交流変換回路５０５からの交流信号は、方形波信号である。前記直流／交流変換回路５０５は、フル・ブリッジ（Full Bridge）型、ハーフ・ブリッジ（Half Bridge）型、プッシュ・プル（Push-Pull）型或いはロイヤー（Royer）型であることができる。
【００４１】
前記調節可能な変圧回路５０６は、前記直流／交流変換回路５０５に接続され、受信した交流信号を隔離するとともに昇圧する。前記調節可能な変圧回路５０６の出力が調節されることができる。本実施例において、前記調節可能な変圧回路５０６は、調節可能な隔離変圧器Ｔ２を含む。
【００４２】
前記調節可能な隔離変圧器Ｔ２は、前記直流／交流変換回路５０５に接続される複数の１次巻線及び前記共振平衡回路５０７に接続される複数の２次巻線を備える。前記複数の１次巻線或いは２次巻線は、ランプからの帰還電流に基づいて相応的に接続を調節して、自身から出力される交流信号を安定させる。安全規則に基づいて、前記光源モジュール５１４及び前記光源モジュール５１４を駆動する前記共振平衡回路５０７を安全状態で作動させるために、調節可能な隔離変圧器Ｔ２で前記の交流電源５００と、前記光源モジュール５１４及び共振平衡回路５０７とを隔離する必要がある。本実施例において、調節可能な隔離変圧器Ｔ２は、昇圧機能も有する。
【００４３】
一般的に、変圧器の１次巻線或いは２次巻線のコイル数比を改変すると、変圧器の出力電圧が改変される。だから、前記調節可能な隔離変圧器Ｔ２の１次巻線或いは２次巻線のコイル数比を調節して、前記調節可能な隔離変圧器Ｔ２の出力電圧を調節する。従って前記調節可能な隔離変圧器Ｔ２からの交流信号の大きさが調節される。本実施例において、ランプからの帰還電流に基づいて、前記調節可能な隔離変圧器Ｔ２の１次巻線或いは２次巻線のコイル数を調節することができ、従って前記光源モジュール５１４を流れる電流を調節することができる。前記調節可能な隔離変圧器Ｔ２の１次巻線或いは２次巻線のコイル数は、他の部品（即ち、直流／交流変換回路５０５及び共振平衡回路５０７）に接続された調節可能な隔離変圧器Ｔ２の複数の１次巻線或いは複数の２次巻線の数量によって調節される。即ち、前記調節可能な隔離変圧器Ｔ２の１次巻線或いは２次巻線のコイル数は、他の部品に接続された調節可能な隔離変圧器Ｔ２の複数の１次巻線或いは複数の２次巻線の中の幾つ組巻線のコイルの総計である。前記調節可能な隔離変圧器Ｔ２の１次巻線或いは２次巻線は金属コネクタ或いは溶接方式によって接続される。
【００４４】
前記共振平衡回路５０７は、前記調節可能な変圧回路５０６からの交流信号を前記光源モジュール５１４を駆動することができる交流信号に変換することに用いられる。前記共振平衡回路５０７によって変換された交流信号は、平衡的に複数のランプを流れる。本実施例において、前記共振平衡回路５０７からの交流信号は、正弦波である。製品の製造過程において、各変圧器の漏れインダクタンスが異なるので、実際回路において、設置された変圧器の漏れインダクタンスを基づいて共振平衡を進行する。前記共振平衡は、コンデンサーを添加して平衡に達するか、又は普通の誘電子または変圧器を用いて平衡に達するか、又はコンデンサー、誘電子及び変圧器を結合して平衡に達することができる。
【００４５】
前記ＰＷＭ及び調光制御器５０８は、前記直流／交流変換回路５０５に接続され、受信した調光信号に基づいて制御信号を出力して、前記直流／交流変換回路５０５の出力を制御する。前記調光信号のデューティ・サイクルは、固定値である。本実施例において、前記制御信号は、前記ＰＷＭ及び調光制御器５０８によって出力される高周波のＰＷＭ制御信号である。一般的に、制御信号のデューティ・サイクルを、チップが許可することができる最大値に設定する。制御信号のデューティ・サイクルは、ＰＷＭ及び調光制御器５０８の相応するピンズの抵抗を調整するか又はコンデンサーの配合によって設定される。本実施例において、前記ＰＷＭ及び調光制御器５０８は、光源モジュール５１４の電流帰還信号を受信しないので、前記ＰＷＭ及び調光制御器５０８からの制御信号のデューティ・サイクルは、随時に変らない。
【００４６】
また、前記ＰＷＭ及び調光制御器５０８は、ＰＷＭ及び調光隔離器５０９及びＰＷＭ及び調光駆動回路５１０を介して、前記直流／交流変換回路５０５に接続される。前記ＰＷＭ及び調光隔離器５０９は、前記ＰＷＭ及び調光制御器５０８に接続され、前記ＰＷＭ及び調光制御器５０８と前記交流電源５００との危険電圧を隔離する。前記ＰＷＭ及び調光隔離器５０９として、隔離変圧器或いは光合波器を採用する。前記ＰＷＭ及び調光駆動回路５１０は、前記直流／交流変換回路５０５と前記ＰＷＭ及び調光隔離器５０９との間に接続され、前記ＰＷＭ及び調光制御器５０８からの制御信号を前記直流／交流変換回路５０５の作動を推進することができる制御信号に昇格する。
【００４７】
本実施例において、光源駆動装置が開回路であるので、従来の光源駆動装置における帰還回路を省略することができる。従って、回路の構造が簡単化され、コストが低下される。
【００４８】
図６は、本発明の第五実施例に係る光源駆動装置のブロック図である。図５に示す光源駆動装置に比べて、本実施例の光源駆動装置の調節可能な変圧回路５０６は、調節可能な隔離変圧器Ｔ３及び変圧器Ｔ４を備える。
【００４９】
前記調節可能な隔離変圧器Ｔ３は、前記直流／交流変換回路５０５に接続されて受信した交流信号を隔離する複数の１次巻線及び複数の２次巻線を備える。前記複数の１次巻線或いは２次巻線は、ランプからの帰還電流に基づいて相応的に接続を調節して、自身から出力される交流信号を安定させる。安全規則に基づいて、前記光源モジュール５１４及び前記光源モジュール５１４を駆動する前記共振平衡回路５０７を安全状態で作動させるために、調節可能な隔離変圧器Ｔ３で前記交流電源５００と、前記光源モジュール５１４及び共振平衡回路５０７とを隔離する必要がある。
【００５０】
一般的に、変圧器の１次巻線或いは２次巻線のコイル数比を改変すると、変圧器の出力電圧が改変される。だから、前記調節可能な隔離変圧器Ｔ３の１次巻線或いは２次巻線のコイル数比を調節して、前記調節可能な隔離変圧器Ｔ３の出力電圧を調節する。従って前記調節可能な隔離変圧器Ｔ３からの交流信号の大きさが調節される。本実施例において、ランプからの帰還電流に基づいて、前記調節可能な隔離変圧器Ｔ３の１次巻線或いは２次巻線のコイル数比が調節することができ、従って前記光源モジュール５１４を流れる電流を調節することができる。前記調節可能な隔離変圧器Ｔ３の１次巻線或いは２次巻線のコイル数は、他の部品（即ち、直流／交流変換回路５０５及び変圧器Ｔ４）に接続された調節可能な隔離変圧器Ｔ３の複数の１次巻線或いは複数の２次巻線の数量によって調節される。即ち、前記調節可能な隔離変圧器Ｔ３の１次巻線或いは２次巻線のコイル数は、他の部品に接続された調節可能な隔離変圧器Ｔ３の複数の１次巻線或いは複数の２次巻線の中の幾つ組巻線のコイルの総計である。前記調節可能な隔離変圧器Ｔ３の１次巻線或いは２次巻線は金属コネクタ或いは溶接方式によって接続される。
【００５１】
前記変圧器Ｔ４は、前記調節可能な隔離変圧器Ｔ３の２次巻線に接続される１次巻線及び前記共振平衡回路５０７に接続される２次巻線を備える。前記変圧器Ｔ４は、前記調節可能な隔離変圧器Ｔ３によって隔離された交流信号を昇圧することに用いられる。
【００５２】
本発明に係る光源駆動装置において、ＰＭＷ及び調光制御器からの制御信号のデューティ・サイクルを固定値に設置することによって、直流／交流変換回路の老化速度を緩める。また、調節可能な分圧回路４０４或いは調節可能な変圧回路５０６によって、光源駆動装置における工場から出荷する時の製品の偏差を補償して、ランプを流れる電流を最も安定させて、ランプの寿命を延長する。
【００５３】
以上、本発明の好適な実施例について詳細に説明したが、本発明は前記実施例に限定されるものではなく、本発明の範囲内で種々の変形又は修正が可能であり、該変形又は修正も又、本発明の特許請求の範囲内に含まれるものであることは、いうまでもない。
【符号の説明】
【００５４】
４００  交流電源
４０１  電磁波干渉濾過回路
４０２  ＰＦＣ回路
４０３  ＰＦＣ制御器
４０４  調節可能な分圧回路
４０５  直流／交流変換回路
４０６  変圧回路
４０７  共振平衡回路
４０８  ＰＷＭ及び調光制御器
４０９  ＰＷＭ及び調光隔離器
４１０  ＰＷＭ及び調光駆動回路
４１１  帰還回路
４１２  帰還隔離器
４１３  検出回路
４１４  光源モジュール
５００  交流電源
５０１  電磁波干渉濾過回路
５０２  ＰＦＣ回路
５０３  ＰＦＣ制御器
５０５  直流／交流変換回路
５０６  調節可能な変圧回路
５０７  共振平衡回路
５０８  ＰＷＭ及び調光制御器
５０９  ＰＷＭ及び調光隔離器
５１０  ＰＷＭ及び調光駆動回路
５１４  光源モジュール
【図１】
2009259833.tif 000003
【図２】
2009259833.tif 000004
【図３】
2009259833.tif 000005
【図４】
2009259833.tif 000006
【図５】
2009259833.tif 000007
【図６】
2009259833.tif 000008